【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
案内レールと、該案内レール上に形成された転動体転動溝と対向する転動体転動溝を有するスライダ本体と、前記案内レール及び前記スライダ本体の両転動体転動溝間に形成された転動体転走路及び前記スライダ本体内に形成された転動体戻し路に連通する方向転換路を夫々有する二つのエンドキャップと、前記スライダ本体及び前記エンドキャップからなるスライダの相対的直線運動に伴って前記転動体転走路、前記転動体戻し路及び前記方向転換路を転動する複数の転動体と、前記転動体戻し路に挿入されたスリーブと、を備えた直動案内装置において、
前記スリーブは長手方向にわたって少なくとも１ヶ所以上の分割部を有し、かつ該分割部同士が接触しないように係止されていることを特徴とする直動案内装置。
【請求項２】
案内レールと、該案内レール上に形成された転動体転動溝と対向する転動体転動溝を有するスライダ本体と、前記案内レール及び前記スライダ本体の両転動体転動溝間に形成された転動体転走路及び前記スライダ本体内に形成された転動体戻し路に連通する方向転換路を夫々有する二つのエンドキャップと、前記スライダ本体及び前記エンドキャップからなるスライダの相対的直線運動に伴って前記転動体転走路、前記転動体戻し路及び前記方向転換路を転動する複数の転動体と、前記スライダ本体と前記エンドキャップとの間にプレート部を有する転動体保持器と、前記転動体をセパレートする樹脂製のベルト状セパレータと、前記転動体戻し路に挿入された円筒状の樹脂製スリーブと、を備えた直動案内装置において、
前記スリーブをほぼ半円筒状に分割するとともに、前記スリーブの端部を支持するスリーブ支持孔を前記転動体保持器のプレート部に設け、かつ前記スリーブ支持孔に挿入された前記スリーブの端部を前記スリーブ支持孔の外径方向に押し広げて係止し、前記転動体戻し路に前記セパレータの案内路を形成する位置決め部を前記転動体保持器のプレート部に設けたことを特徴とする直動案内装置。
【請求項３】
請求項２記載の直動案内装置において、前記位置決め部と係合する係合部を前記スリーブに設けたことを特徴とする直動案内装置。
【請求項４】
前記係合部は、前記スリーブの分割部の一部を円弧状に切り欠いて形成されていることを特徴とする請求項３記載の直動案内装置。
【請求項５】
前記係合部は、前記スリーブの外周面の一部を凹状に切り欠いて形成されていることを特徴とする請求項３記載の直動案内装置。
【請求項６】
前記係合部は、前記スリーブの全長に亘って設けられていることを特徴とする請求項４又は５記載の直動案内装置。
【請求項７】
案内レールと、該案内レール上に形成された転動体転動溝と対向する転動体転動溝を有するスライダ本体と、前記案内レール及び前記スライダ本体の両転動体転動溝間に形成された転動体転走路及び前記スライダ本体内に形成された転動体戻し路に連通する方向転換路を夫々有する二つのエンドキャップと、前記スライダ本体及び前記エンドキャップからなるスライダの相対的直線運動に伴って前記転動体転走路、前記転動体戻し路及び前記方向転換路を転動する複数の転動体と、前記スライダ本体と前記エンドキャップとの間にプレート部を有する転動体保持器と、前記転動体戻し路に挿入されたスリーブと、を備えた直動案内装置において、
前記スリーブがその長手方向にわたって少なくとも一つの分割部を有し、かつ前記スリーブの端部を支持するスリーブ支持部を前記転動体保持器のプレート部に設け、前記スリーブ支持孔に挿入された前記スリーブの端部を前記スリーブ支持孔の外径方向に押し広げて係止されていることを特徴とする直動案内装置。
【手続補正２】
【補正対象書類名】明細書
【補正対象項目名】０００５
【補正方法】変更
【補正の内容】
【０００５】
上記の目的を達成するために、請求項１の発明は、案内レールと、該案内レール上に形成された転動体転動溝と対向する転動体転動溝を有するスライダ本体と、前記案内レール及び前記スライダ本体の両転動体転動溝間に形成された転動体転走路及び前記スライダ本体内に形成された転動体戻し路に連通する方向転換路を夫々有する二つのエンドキャップと、前記スライダ本体及び前記エンドキャップからなるスライダの相対的直線運動に伴って前記転動体転走路、前記転動体戻し路及び前記方向転換路を転動する複数の転動体と、前記転動体戻し路に挿入されたスリーブと、を備えた直動案内装置において、前記スリーブは長手方向にわたって少なくとも１ヶ所以上の分割部を有し、かつ該分割部が接触しないように係止されていることを特徴とする。
【手続補正３】
【補正対象書類名】明細書
【補正対象項目名】０００６
【補正方法】変更
【補正の内容】
【０００６】
請求項２の発明は、案内レールと、該案内レール上に形成された転動体転動溝と対向する転動体転動溝を有するスライダ本体と、前記案内レール及び前記スライダ本体の両転動体転動溝間に形成された転動体転走路及び前記スライダ本体内に形成された転動体戻し路に連通する方向転換路を夫々有する二つのエンドキャップと、前記スライダ本体及び前記エンドキャップからなるスライダの相対的直線運動に伴って前記転動体転走路、前記転動体戻し路及び前記方向転換路を転動する複数の転動体と、前記スライダ本体と前記エンドキャップとの間にプレート部を有する転動体保持器と、前記転動体をセパレートする樹脂製のベルト状セパレータと、前記転動体戻し路に挿入された円筒状の樹脂製スリーブと、を備えた直動案内装置において、前記スリーブをほぼ半円筒状に分割するとともに、前記スリーブの端部を支持するスリーブ支持孔を前記転動体保持器のプレート部に設け、かつ前記スリーブ支持孔に挿入された前記スリーブの端部を前記スリーブ支持孔の外径方向に押し広げて係止し、前記転動体戻し路に前記セパレータの案内路を形成する位置決め部を前記転動体保持器のプレート部に設けたことを特徴とする。
【手続補正４】
【補正対象書類名】明細書
【補正対象項目名】０００７
【補正方法】変更
【補正の内容】
【０００７】
請求項３の発明は、請求項２記載の直動案内装置において、前記位置決め部と係合する係合部を前記スリーブに設けたことを特徴とする。
請求項４の発明は、請求項３記載の直動案内装置において、前記係合部が、前記スリーブの分割部の一部を円弧状に切り欠いて形成されていることを特徴とする。
請求項５の発明は、請求項３記載の直動案内装置において、前記係合部が、前記スリーブの外周面の一部を凹状に切り欠いて形成されていることを特徴とする。
【手続補正５】
【補正対象書類名】明細書
【補正対象項目名】０００８
【補正方法】変更
【補正の内容】
【０００８】
請求項６の発明は、請求項４又は５記載の直動案内装置において、前記係合部が、前記スリーブの全長に亘って設けられていることを特徴とする。
請求項７の発明は、案内レールと、該案内レール上に形成された転動体転動溝と対向する転動体転動溝を有するスライダ本体と、前記案内レール及び前記スライダ本体の両転動体転動溝間に形成された転動体転走路及び前記スライダ本体内に形成された転動体戻し路に連通する方向転換路を夫々有する二つのエンドキャップと、前記スライダ本体及び前記エンドキャップからなるスライダの相対的直線運動に伴って前記転動体転走路、前記転動体戻し路及び前記方向転換路を転動する複数の転動体と、前記スライダ本体と前記エンドキャップとの間にプレート部を有する転動体保持器と、前記転動体戻し路に挿入されたスリーブと、を備えた直動案内装置において、前記スリーブがその長手方向にわたって少なくとも一つの分割部を有し、かつ前記スリーブの端部を支持するスリーブ支持部を前記転動体保持器のプレート部に設け、前記スリーブ支持孔に挿入された前記スリーブの端部を前記スリーブ支持孔の外径方向に押し広げて係止されていることを特徴とする。
【手続補正６】
【補正対象書類名】明細書
【補正対象項目名】００１８
【補正方法】変更
【補正の内容】
【００１８】
また、転動体保持器２２のプレート部２２１には、エンドキャップ１３Ａ，１３Ｂの背面部に設けられた円弧状突起部２９（図４参照）に嵌合してエンドキャップ１３Ａ，１３Ｂのリターンガイド１３１を転動体保持器２２に位置決めする二つの円弧状切欠部３０（図６参照）が設けられているとともに、スリーブ支持孔２７に挿入されたスリーブ２４の端部をスリーブ支持孔２７の外径方向に押し広げて転動体戻し路１９にセパレータ２３の案内路となる分割部３１（図２参照）を形成するための位置決め部３２（図６参照）が設けられている。
【手続補正７】
【補正対象書類名】明細書
【補正対象項目名】００１９
【補正方法】変更
【補正の内容】
【００１９】
スリーブ２４を位置決めする位置決め部３２は転動体保持器２２のプレート部２２１に四個ずつ設けられており、スリーブ２４には、位置決め部３２と係合する四つの係合部３３（図９参照）がスリーブ２４の全長にわたって設けられている。
このように構成される直動案内装置１０では、上述したように、転動体戻し路１９に挿入された樹脂製のスリーブ２４をほぼ半円筒状に分割するとともに、スリーブ２４の端部を支持するスリーブ支持孔２７を転動体保持器２２のプレート部２２１に設け、かつスリーブ支持孔２７に挿入されたスリーブ２４の端部をスリーブ支持孔２７の外径方向に押し広げて転動体戻し路１９に分割部３１を形成するための位置決め部３２を転動体保持器２２のプレート部２２１に設けたことにより、スリーブ２４の内周面にセパレータ２３の案内路底部を形成する必要がなくなり、スリーブ２４同士をつなぐ厚みの分だけスリーブ２４の外径を小さくできるので、スライダ本体１２の剛性を高めることができる。
【手続補正８】
【補正対象書類名】明細書
【補正対象項目名】００２１
【補正方法】変更
【補正の内容】
【００２１】
さらに、スリーブ２４がその長手方向にわたって少なくとも１ヶ所以上の分割部３１を有しているため、可及的にスリーブ外径を小さくすることができ、従って、スライダ１５の強度向上やコンパクト化が図れる。また、スリーブ２４をスライダ本体１２の転動体戻し路１９の内面に押し広げるように係止してスリーブの分割部３１同士の接触を防いだため、スリーブ２４がすぼんで転動体の循環路やセパレータ２３の腕部の案内溝を塞ぎ、作動性及び騒音特性を悪化させることがない。さらに、位置決め部３２によって位置決めされたスリーブ２４の外径形状が転動体戻し路１９の内周面より大きい部位を持つことにより、スリーブ２４の外周面と転動体戻し路１９の内周面とが接触し、転動体１６の通過によってスリーブ２４が振動して騒音が発生することを防ぐことができる。
【手続補正９】
【補正対象書類名】明細書
【補正対象項目名】００２２
【補正方法】変更
【補正の内容】
【００２２】
なお、上述した第１の実施形態ではスリーブ２４の分割面の一部を円弧状に切り欠いて係合部３３を形成したが、図１０に示す第２の実施形態のように、スリーブ２４の外周面の一部を凹状に切り欠いて係合部３３を形成するようにしてもよい。
さらに、上述した第１の実施形態では、転動体戻し路１９に挿入されたスリーブ２４を転動体戻し路１９に沿って半円筒状に分割したが、図１１に示す第３の実施形態のように、スリーブ２４の長手方向にわたって少なくとも一つの分割部３５を設けた構成としてもよく、このような構成とすることにより、第１の実施形態と同様の効果を得ることができる。
【手続補正１０】
【補正対象書類名】明細書
【補正対象項目名】００２４
【補正方法】変更
【補正の内容】
【００２４】
１１  案内レール
１２  スライダ本体
１３Ａ，１３Ｂ  エンドキャップ
１４Ｒ，１４Ｓ  転動体転動溝
１５  スライダ
１６  転動体
１７  転動体転走路
１８  方向転換路
１９  転動体戻し路
２０  グリースニップル取付け孔
２１  サイドシール
２２  転動体保持器
２２１  プレート部
２２２  転動体保持部材
２３  セパレータ
２４  スリーブ
２５  溝部
２６  プレート部収容部
２７  スリーブ支持孔
２８  潤滑剤供給溝
２９  円弧状突起部
３０  円弧状切欠部
３１  分割部
３２  位置決め部
３３  係合部
３５  分割部